(57)【特許請求の範囲】
【請求項１】
リールの回転を停止手段の操作によって停止させるようにしたスロットマシンにおいて、
前記停止手段の操作時に、該停止手段と該停止手段が設けられている段部に対して衝撃を付与する衝撃付与手段を設け、
前記停止手段の操作に応じて前記衝撃付与手段の可動軸が当て板に当接することを特徴としたスロットマシン。
【請求項２】
前記衝撃付与手段を、前記停止手段の取り付け板の裏面に設置したことを特徴とした請求項１に記載のスロットマシン。
【請求項３】
前記停止手段は、ストップボタンであることを特徴とする請求項１または２に記載のスロットマシン。
【発明の詳細な説明】
【０００１】
【発明の属する技術分野】
本発明は、ストップボタンを押した際に機械的にリールを停止させたかのような感覚が得られるスロットマシンに関する。
【０００２】
【従来の技術】
スロットマシンは、外周に複数種類のシンボルが配列された例えば３個のリールを有し、遊戯者がメダルを入れた後、スタートボタン等を押すと、これらのリールが一斉に回転を始める。そして、各リール毎に設けられたストップボタンを押すと対応したリールがその瞬間に停止し、これらのリールが全て停止したときに、入賞ライン上に位置している各々のリールのシンボルの組み合わせによって入賞が決定される。そして入賞に該当したとき、入賞に応じた枚数のメダルがスロットマシンの払戻口より払い出される。
【０００３】
【発明が解決しようとする課題】
旧来のスロットマシンは、リールの回転を停止させる機構として、リールに係合する係止部材を備え、ストップボタンが押されるとこの係止部材を回転しているリールに掛けてリールの回転を停止させるようにしていた。したがって、そのような機械的な停止機構を有するスロットマシンにおいては、ストップボタンを押すと、係止部材がリールに直接当接する感覚が得られ、遊戯者は実際にリールを自分の思う地点で停止させたという実感を得ることができ、それが興味をそそるものでもあった。
【０００４】
しかしながら、現在のスロットマシンは、リールの駆動をステッピングモータによって行わせており、リールの停止もステッピングモータの操作で行われている。そのため、遊戯者がストップボタンを押すだけで、ステッピングモータが停止し、それに伴ってリールが停止するだけであるので、単に電気的なスイッチを押した感覚があるだけで、旧来機のようにストップボタンの操作によってリールを直接停止させたという機械的な実感が得られず物足りなさを感ずるのが実情であった。
【０００５】
【課題を解決するための手段】
上記課題を解決するため、スロットマシンを次のように構成した。すなわち、停止手段の操作時にその停止手段およびこの停止手段が設けられている段部に対して衝撃を付与する衝撃付与手段を設け、停止手段の操作に応じて衝撃付与手段の可動軸が当て板に当接するようにした。
【０００６】
また、停止手段の操作に連動して衝撃を停止手段の近傍に付与する衝撃付与手段をスロットマシンに設け、停止手段を操作している遊戯者に停止手段の操作と同時に衝撃付与手段からの衝撃が伝達されるようにした。
停止手段は、押圧型のストップボタンの他、接触型のタッチスイッチ等その種類は問わない。
【０００７】
衝撃付与手段は、例えば電磁石で作動するハンマ等から構成し、ハンマでストップボタンの裏面等を瞬間的に打つようにする。又、バネの付勢力を用いてハンマを常に当て板に当接させておき、電磁石の作用によってハンマをバネ力に抗して当て板から離し、そして電磁石への通電を切って付勢されているバネ力によってハンマを当て板に衝突させるようにしてもよい。
【０００８】
衝撃付与手段の取り付け位置としては、ストップボタンの設置板の裏面が好ましい。
【０００９】
（作用）
上記スロットマシンにおいて、遊戯者がリールの回転を停止させるためストップボタンを押すと、衝撃付与手段がストップボタンの押されたと同時に当て板部分に衝撃を付与するので、遊戯者はストップボタンの操作時に機械的な衝撃が感じられ、旧来機のようにリールを機械的に停止させたという実感が得られる。
【００１０】
衝撃は、停止手段のみでなく停止手段の近傍にも付与されることから、スロットマシンに触れている指先全体で感じられ、又衝撃音として実際に聞き取ることができる。
【００１１】
好ましい設置位置として、衝撃付与手段を停止手段を設置している取り付け部材の裏側に設ければ、衝撃付与手段で付与される衝撃がストップボタン等停止手段に直接的、及びその周囲に付与され、遊戯者は衝撃や衝撃音を直接的に感じ取ることができる。
【００１２】
【発明の実施の形態】
図１にスロットマシン２の全体を示す。スロットマシン２は、筐体９の前面に開閉自在に扉４を備え、扉４に設けられた窓６を通して内部に設置されたリール３（図２参照）を見るようになっている。窓６の下部には、段部７が形成され、コイン投入口１１と、リール３の回転を開始させるスタートボタン１２と、リール３の回転を停止させる３個のストップボタン５等が設けてある。各ストップボタン５は、対応するリール３の下方にそれぞれ設置され、各リール３の回転をストップボタン５の押圧に合わせて停止させる。
【００１３】
筐体９の内部には、図２に示すようにシンボル（図柄）を外周に有する３台のリール３と、制御部８、ホッパ１０等が設けられ、リール３はそれぞれに接続されているステッピングモータにより個別に回転、及び停止がなされる。
【００１４】
扉４の裏面には、ハンマ機構１が設置されている。ハンマ機構１は、ストップボタン５の裏側、つまりストップボタン５が取り付けられている設置板の裏面に設けられている。ハンマ機構１は、図３に示すように、当て板１４と、電磁石１６と、電磁石１６の磁力によって後退する可動軸１８と、可動軸１８を前方に付勢するバネ２０等からなり、電磁石１６に通電すると、図４に示すように可動軸１８がバネ２０のバネ力に抗して後方に移動して、電磁石１６への通電が停止されるとバネ２０の復元力によって前方に押し戻され、可動軸１８が当て板１４に当接する。
【００１５】
制御部８は、スタートボタン１２が押されると、各リール３のステッピングモータを作動させ、全てのリール３の回転を開始させる。そしてリール３が回転しているときに、いずれかのリール３のストップボタン５が押されると押されたストップボタン５に対応したリール３のステッピングモータの駆動を停止させるとともにハンマ機構１に作動信号を送り、電磁石１６を駆動させて可動軸１８を作動させる。
【００１６】
更に制御部８は、リール３が停止した後、各リール３のシンボルの配列を確認し、シンボルの配列が入賞していれば入賞の種類と投入されたコイン数に応じたコインを払戻口３０から払い戻す。
【００１７】
次に、上記スロットマシン２の作動について説明する。
【００１８】
遊戯者は、所望の枚数のコインをスロットマシン２のコイン投入口１１から投入し、スタートボタン１２を押してリール３の回転を開始させる。そして、各リール３の回転を所望の位置で停止させるため、それぞれのストップボタン５を押す。ストップボタン５が遊戯者によって押されると、押された信号は制御部８を介して、リール３のステッピングモータに伝達されてリール３を停止させるとともにハンマ機構１に伝達され、電磁石１６が作動し可動軸１８が当て板１４に当接する。
【００１９】
遊戯者は、通常親指以外の四本の指をストップボタン５が設けられている箇所の段部７の上に置いていることが多く、可動軸１８が当て板１４に当接した衝撃は、ストップボタン５を介して遊戯者の親指に伝わるとともに段部７を介して親指以外の指にも直接伝えられる。又、可動軸１８が当て板１４に当接した際に発生した衝撃音を、遊戯者は扉４を通して直接聞き取ることができる。
【００２０】
したがって、遊戯者はストップボタン５の押圧操作によってリール３の回転が停止されるとともに機械的な衝撃の感覚が得られ、ストップボタン５を操作したことによって機械的にリール３を停止させたという実感を得ることができる。
【００２１】
図５にハンマ機構１の他の例を示す。このハンマ機構１３は、可動軸１８と当て板１４が通常の状態で離れており、電磁石１６に通電すると可動軸１８が当て板１４に当接し、当接した瞬間にバネ２０によって引き戻されるようになっている。このように構成すると、より早く衝撃をストップボタン５、及びその周辺に付与することができる。
【００２２】
【発明の効果】
本発明のスロットマシンによれば、ストップボタンを押したときに遊戯者に衝撃感が伝達され、それとともにリールが停止されるので、遊戯者はストップボタンによって実際にリールを機械的に停止させたという実感を得ることができ、遊戯者の満足感を増大させることができる。
【図面の簡単な説明】
【図１】本発明にかかるスロットマシンを示す斜視図である。
【図２】本発明にかかるスロットマシンを示す斜視図である。
【図３】本発明のハンマ機構を示す図である。
【図４】本発明のハンマ機構を示す図である。
【図５】本発明のハンマ機構の他の例を示す図である。
【符号の説明】
１、１３  ハンマ機構
２  スロットマシン
３  リール
４  扉
５  ストップボタン
６  窓
７  段部
８  制御部
９  筐体
１０  ホッパー
１１  コイン投入口
１２  スタートボタン
１４  当て板
１６  電磁石
１８  可動軸
２０  バネ
３０  払戻口
【図１】
0003763915.tif 000002
【図２】
0003763915.tif 000003
【図３】
0003763915.tif 000004
【図４】
0003763915.tif 000005
【図５】
0003763915.tif 000006